(57)【要約】      （修正有）【課題】レンズモジュール内に組み込まれた複数レンズの高い同軸度と安定性を得る。【解決手段】レンズモジュールは、レンズ鏡筒１とレンズ群２とを備え、レンズ鏡筒１は、通光孔１１１が設けられた第１の筒壁１１、第２の筒壁１３、及び第１の筒壁１１と第２の筒壁１３に囲まれて形成された収容空間１５を有する。レンズ群２は、第１のレンズ３と第２のレンズ４とを有し、第１のレンズ３の光軸は、通光孔１１１の軸線に重なり合う。第１のレンズ３は、第１の斜面を有する下表面を備え、第２のレンズ４は、第２の斜面を有する第１の表面を備え、第１の斜面および第２の斜面は環状に分布し、且つ、第１の斜面および第２の斜面には、互いに嵌合するネジ山が設けられる。第１の斜面と第２の斜面とは、第１のレンズ３と第２のレンズ４とが、それらの光軸が共通するように、ネジ山により接続され、これにより、高い同軸度と安定性が確保できる。【選択図】図１
2018072795.tif 000002
【特許請求の範囲】
【請求項１】
通光孔が設けられた第１の筒壁、前記第１の筒壁から折り曲げ、延伸する第２の筒壁及び前記第１の筒壁と前記第２の筒壁によって形成された収容空間を有するレンズ鏡筒と、物体側から像側への方向において順に前記収容空間内に収容された第１のレンズと第２のレンズを有するレンズ群とを備え、前記第１のレンズの光軸が、前記通光孔の軸線に重なり合わせているレンズモジュールであって、
前記第１のレンズは、第１の斜面を有する下表面を備え、前記第２のレンズは、第２の斜面を有する第１の表面を備え、前記第１の斜面と前記第２の斜面は、環状に分布し、且つ、前記第１の斜面と前記第２の斜面のそれぞれに互いに嵌合するネジ山が設けられ、前記第１の斜面と前記第２の斜面は、前記第１のレンズ及び前記第２のレンズは光軸が共通するように、ネジ山により接続されていることを特徴とするレンズモジュール。
【請求項２】
前記下表面は、それぞれ前記第１の斜面の両端に接続された第１の延伸面と第２の延伸面を更に有し、前記第１の延伸面は、前記第２の延伸面よりも光軸から離れ、前記第１の表面は、それぞれ前記第２の斜面の両端に接続された第１の荷重面と第２の荷重面を有し、前記第１の荷重面は、前記第２の荷重面よりも光軸から離れ、且つ、前記第１の延伸面、前記第２の延伸面、前記第１の荷重面及び前記第２の荷重面は、光軸に垂直することを特徴とする請求項１に記載のレンズモジュール。
【請求項３】
前記第１の斜面は、前記第１の延伸面から像側へ傾斜延伸し、前記第２の斜面は、前記第１の荷重面から像側へ傾斜延伸していることを特徴とする請求項２に記載のレンズモジュール。
【請求項４】
前記第１の斜面は、前記第１の延伸面から物体側へ傾斜延伸し、前記第２の斜面は、前記第１の荷重面から物体側へ傾斜延伸していることを特徴とする請求項２に記載のレンズモジュール。
【請求項５】
前記第１の荷重面は、前記第１の延伸面に当接し、前記第２の荷重面は、前記第２の延伸面に当接していることを特徴とする請求項２乃至４のいずれか１項に記載のレンズモジュール。
【請求項６】
前記第１の斜面と前記第２の斜面は、前記光軸を中心としていることを特徴とする請求項１に記載のレンズモジュール。
【請求項７】
前記第１のレンズは、前記下表面に対向設置された上表面、及び前記上表面と前記下表面を接続する第１の側面を更に有し、前記上表面は、前記第１の筒壁における前記収容空間に向かう表面に当接し、前記第１の側面は、前記第２の筒壁における前記収容空間に向かう表面に当接していることを特徴とする請求項１に記載のレンズモジュール。
【請求項８】
前記第２のレンズは、前記第１の表面に対向設置された第２の表面、及び前記第１の表面と前記第２の表面を接続する第２の側面を更に有し、前記第２の側面は、前記第２の筒壁における前記収容空間に向かう表面に当接していることを特徴とする請求項１に記載のレンズモジュール。
【発明の詳細な説明】
【技術分野】
【０００１】
本発明は、レンズモジュールに関し、特に一種のレンズモジュールに関するものである。
【背景技術】
【０００２】
科学技術が絶えずに発展していることに伴い、電子デバイスが絶えずにスマート化へ進化しており、デジタルカメラの他、携帯型電子デバイス、例えば、タブレットＰＣ、携帯電話等にも、レンズモジュールが配置されるようになっている。人々の使用ニーズを満たすために、レンズモジュールにより撮影された物体の画像の品質に対しても、高く求められている。しかしながら、撮影された物体の画像品質は、レンズモジュール内における各レンズの光軸の同軸度に大きく関係している。
【０００３】
関連技術におけるレンズモジュールは、通光孔が設けられたレンズ鏡筒と、前記レンズ鏡筒内に設けられたレンズ群とを備え、レンズ群は、少なくとも２つの光学レンズを有し、通光孔の幾何学的中心を通る直線及びこれらの光学レンズの光軸が重なり合わせるべきであり、即ち、高い同軸度を保障する必要がある。また、複数の光学レンズ同士間の接続も非常に高い安定性を有する必要がある。しかしながら、生産製造過程中に、光学レンズ間は、一般的に凸凹接合又は当接後、接着剤により接続され、これは、接続手段が単一であるだけでなく、光学レンズ間が高い同軸度と安定性を有すると保証することが困難である。
【０００４】
従って、新型のレンズモジュールを提供する必要がある。
【発明の概要】
【発明が解決しようとする課題】
【０００５】
本発明は、同軸度が良好で、安定性が高いレンズモジュールを提供することを目的とする。
【課題を解決するための手段】
【０００６】
本発明の技術案は、下記のとおりである。
通光孔が設けられた第１の筒壁、前記第１の筒壁から折り曲げ、延伸する第２の筒壁及び前記第１の筒壁と前記第２の筒壁によって形成された収容空間を有するレンズ鏡筒と、物体側から像側への方向において順に前記収容空間内に収容された第１のレンズと第２のレンズを有するレンズ群とを備え、前記第１のレンズの光軸が、前記通光孔の軸線に重なり合わせているレンズモジュールであって、
前記第１のレンズは、第１の斜面を有する下表面を備え、前記第２のレンズは、第２の斜面を有する第１の表面を備え、前記第１の斜面と前記第２の斜面は、環状に分布し、且つ、前記第１の斜面と前記第２の斜面のそれぞれに互いに嵌合するネジ山が設けられ、前記第１の斜面と前記第２の斜面は、前記第１のレンズ及び前記第２のレンズは光軸が共通するように、ネジ山により接続されている。
【０００７】
好ましくは、前記下表面は、それぞれ前記第１の斜面の両端に接続された第１の延伸面と第２の延伸面を更に有し、前記第１の延伸面は、前記第２の延伸面よりも光軸から離れ、前記第１の表面は、それぞれ前記第２の斜面の両端に接続された第１の荷重面と第２の荷重面を有し、前記第１の荷重面は、前記第２の荷重面よりも光軸から離れ、且つ、前記第１の延伸面、前記第２の延伸面、前記第１の荷重面及び前記第２の荷重面は、光軸に垂直する。
【０００８】
好ましくは、前記第１の斜面は、前記第１の延伸面から像側へ傾斜延伸し、前記第２の斜面は、前記第１の荷重面から像側へ傾斜延伸している。
【０００９】
好ましくは、前記第１の斜面は、前記第１の延伸面から物体側へ傾斜延伸し、前記第２の斜面は、前記第１の荷重面から物体側へ傾斜延伸している。
【００１０】
好ましくは、前記第１の荷重面は、前記第１の延伸面に当接し、前記第２の荷重面は、前記第２の延伸面に当接している。
【００１１】
好ましくは、前記第１の斜面と前記第２の斜面は、前記光軸を中心としている。
【００１２】
好ましくは、前記第１のレンズは、前記下表面に対向設置された上表面、及び前記上表面と前記下表面を接続する第１の側面を更に有し、前記上表面は、前記第１の筒壁における前記収容空間に向かう表面に当接し、前記第１の側面は、前記第２の筒壁における前記収容空間に向かう表面に当接している。
【００１３】
好ましくは、前記第２のレンズは、前記第１の表面に対向設置された第２の表面、及び前記第１の表面と前記第２の表面を接続する第２の側面を更に有し、前記第２の側面は、前記第２の筒壁における前記収容空間に向かう表面に当接している。
【発明の効果】
【００１４】
関連技術に比べ、本発明により提供されたレンズモジュールは、以下の有益な効果を有する。前記レンズ群は、第１のレンズと第２のレンズを有し、前記第１のレンズは、第１の斜面を有する下表面、前記下表面に対向設置された上表面、及び前記上表面と前記下表面を接続する第１の側面を備え、前記上表面は、前記第１の筒壁における前記収容空間に向かう表面に当接し、前記第１の側面は、前記第２の筒壁における前記収容空間に向かう表面に当接しており、これにより、前記第１のレンズの光軸が、前記通光孔の軸線に重なり合わせるようになる。前記第２のレンズは、第２の斜面を有し、前記第１の斜面と前記第２の斜面は、環状に分布し、且つ、前記第１の斜面と前記第２の斜面のそれぞれに互いに嵌合するネジ山が設けられ、前記第１の斜面と前記第２の斜面は、前記第１のレンズ及び前記第２のレンズは光軸が共通するように、ネジ山により接続され、これにより、前記レンズモジュールが高い同軸度と安定性を有すると保障することができる。
【図面の簡単な説明】
【００１５】
【図１】本発明により提供されたレンズモジュールの実施例１の構成を示す模式図である。
【図２】図１に示すレンズモジュールにおける第１のレンズの構成を示す模式図である。
【図３】図１に示すレンズモジュールにおける第２のレンズの構成を示す模式図である。
【図４】本発明により提供されたレンズモジュールの実施例２の構成を示す模式図である。
【図５】図４に示すレンズモジュールにおける第１のレンズの構成を示す模式図である。
【図６】図４に示すレンズモジュールにおける第２のレンズの構成を示す模式図である。
【発明を実施するための形態】
【００１６】
以下、本発明に係る実施例における図面を参照しながら、本発明の実施例における技術案について明確に、完全に説明する。当然ながら、説明する実施例は、本発明の一部の実施例に過ぎず、全ての実施例ではない。本発明に係る実施例に基づき、当業者は、創造的労力を要せず、得られた全ての他の実施例が何れも本発明の特許請求の範囲に含まれる。
【００１７】
＜実施例１＞
図１に示すように、前記レンズモジュール１００は、レンズ鏡筒１、及び前記レンズ鏡筒１内に設けられ、前記レンズ鏡筒１に接続されたレンズ群２を備える。
【００１８】
前記レンズ鏡筒１は、通光孔１１１が設けられた第１の筒壁１１、前記第１の筒壁１１から折り曲げ、延伸する第２の筒壁１３、及び前記第１の筒壁１１と前記第２の筒壁１３により形成された収容空間１５を備える。
【００１９】
前記レンズ群２は、物体側から像側への方向において順に前記収容空間１５内に収容された第１のレンズ３と第２のレンズ４を有し、且つ、前記第１のレンズ３と前記第２のレンズ４の光軸は、前記通光孔１１１の軸線に重なり合わせている。
【００２０】
図２に示すように、前記第１のレンズ３は、前記第２のレンズ４に向かう下表面３１、前記下表面３１に対向する上表面３３、及び前記下表面３１と前記上表面３３を接続する第１の側面３５を有する。前記上表面３３と前記第１の側面３５は、円弧面により接続され、前記上表面３３は、前記第１の筒壁１１における前記収容空間１５に向かう表面に当接し、前記第１の側面３５は、前記第２の筒壁１３における前記収容空間１５に向かう表面に当接している。前記上表面３３と前記第１の側面３５がそれぞれ前記第１の筒壁１１と前記第２の筒壁１３に当接することにより、前記第１のレンズ３の光軸は、前記通光孔１１１の軸線に重なり合わせている。
【００２１】
前記下表面３１は、環状に分布し、ネジ山が設けられた第１の斜面３１１、それぞれ前記第１の斜面３１１の両端に接続された外へ水平延伸する第１の延伸面３１２と光軸へ水平延伸する第２の延伸面３１３、前記第２の延伸面３１３から通光孔１１１へ折り曲げ、延伸する第３の延伸面３１４、及び前記第３の延伸面３１４に接続された第１の光学面３１５を有する。前記第１の斜面３１１は、前記第１の延伸面３１２から像側へ傾斜延伸している。
【００２２】
前記上表面３３は、順に接続された第１の平面３３１、第２の平面３３３、第３の平面３３５及び第２の光学面３３７を有する。前記第１の平面３３１と前記第２の平面３３３は、円弧面により接続され、前記第１の平面３３１と前記第３の平面３３５は、それぞれ前記第１の筒壁１１と間隔を隔てて設けられ、前記第２の平面３３３は、前記第１の筒壁１１における前記収容空間１５に向かう表面に当接し、前記通光孔１１１は、前記第２の光学面３３７を露出させるための十分な直径を有する。
【００２３】
図３に示すように、前記第２のレンズ４は、前記第１のレンズ３に向かう第１の表面４１、前記第１の表面４１に対向する第２の表面４３、及び前記第１の表面４１と前記第２の表面４３を接続する第２の側面４５を有する。前記第１の表面４１と前記第２の側面４５は、円弧面により接続され、前記第２の側面４５は、前記第２の筒壁１３における前記収容空間１５に向かう表面に当接している。
【００２４】
前記第１の表面４１は、環状に分布し、ネジ山が設けられた第２の斜面４１１、それぞれ前記第２の斜面４１１の両端に接続された外へ水平延伸する第１の荷重面４１２と光軸へ水平延伸する第２の荷重面４１３、前記第１の荷重面４１２から、通光孔１１１から離れる方向へ折り曲げ、延伸する第３の荷重面４１５、前記第３の荷重面４１５から外へ水平延伸する第４の荷重面４１６、前記第２の荷重面４１３から、通光孔１１１から離れる方向へ折り曲げ、延伸する第５の荷重面４１７、及び前記第５の荷重面４１７に接続された第３の光学面４１８を有する。
【００２５】
前記第１の荷重面４１２は、前記第１の延伸面３１２に当接し、且つ、光軸に垂直し、前記第２の荷重面４１３は、前記第２の延伸面３１３に当接し、且つ、光軸に垂直する。
【００２６】
前記第２の斜面４１１は、前記第１の荷重面４１２から像側へ傾斜延伸し、且つ、前記第２の斜面４１１のネジ山は、前記第１の斜面３１１のネジ山に嵌合されており、これにより、前記第１の斜面３１１と前記第２の斜面４１１は、前記第１のレンズ３と前記第２のレンズ４は光軸が共通するように、ネジ山により接続されている。
【００２７】
前記第４の荷重面４１６は、前記第１の延伸面３１２と間隔を隔てて設けられている。
【００２８】
前記第２の表面４３は、順に接続された第１の接続面４３１、第２の接続面４３３及び第４の光学面４３５を有する。前記第１の接続面４３１と前記第２の接続面４３３は、円弧面により接続されている。
【００２９】
＜実施例２＞
図４に示すように、前記レンズモジュール２００は、レンズ鏡筒５、及び前記レンズ鏡筒５内に設けられ、前記レンズ鏡筒５に接続されたレンズ群６を備える。
【００３０】
前記レンズ鏡筒５は、通光孔５１１が設けられた第１の筒壁５１、前記第１の筒壁５１から折り曲げ、延伸する第２の筒壁５３、及び前記第１の筒壁５１と前記第２の筒壁５３により囲まれて形成された収容空間５５を備える。
【００３１】
前記レンズ群６は、物体側から像側への方向において順に前記収容空間５５内に収容された第１のレンズ７と第２のレンズ８を有し、且つ、前記第１のレンズ７と前記第２のレンズ８の光軸は、前記通光孔５１１の軸線に重なり合わせている。
【００３２】
図５に示すように、前記第１のレンズ７は、前記第２のレンズ８に向かう下表面７１、前記下表面７１に対向する上表面７３、及び前記下表面７１と前記上表面７３を接続する第１の側面７５を有する。前記上表面７３と前記第１の側面７５は、円弧面により接続され、前記上表面７３は、前記第１の筒壁５１における前記収容空間５５に向かう表面に当接し、前記第１の側面７５は、前記第２の筒壁５３における前記収容空間５５に向かう表面に当接している。前記上表面７３と前記第１の側面７５がそれぞれ前記第１の筒壁５１と前記第２の筒壁５３に当接することにより、前記第１のレンズ７の光軸は、前記通光孔５１１の軸線に重なり合わせている。
【００３３】
前記下表面７１は、環状に分布し、ネジ山が設けられた第１の斜面７１１、それぞれ前記第１の斜面７１１の両端に接続され外へ水平延伸する第１の延伸面７１２と光軸へ水平延伸する第２の延伸面７１３、前記第２の延伸面７１３から光軸方向へ折り曲げ、延伸する第３の延伸面７１４、前記第３の延伸面７１４に接続された第１の光学面７１５、及び前記第１の延伸面７１２から外へ水平延伸する第４の延伸面７１６を有する。前記第１の延伸面７１２と前記第４の延伸面７１６は、円弧面により接続され、前記第１の延伸面７１２、前記第２の延伸面７１３及び前記第４の延伸面７１６は、光軸に垂直し、前記第１の斜面７１１は、前記第１の延伸面７１２から物体側へ傾斜延伸している。
【００３４】
前記上表面７３は、順に接続された第１の平面７３１、第２の平面７３３、第３の平面７３５及び第２の光学面７３７を有する。前記第１の平面７３１と前記第２の平面７３３は、円弧面により接続され、前記第１の平面７３１と前記第３の平面７３５は、それぞれ前記第１の筒壁５１と間隔を隔てて設けられ、前記第２の平面７３３は、前記第１の筒壁５１における前記収容空間５５に向かう表面に当接し、前記通光孔５１１は、前記第２の光学面７３７を露出させるための十分な直径を有する。
【００３５】
図６に示すように、前記第２のレンズ８は、前記第１のレンズ７に向かう第１の表面８１、前記第１の表面８１に対向する第２の表面８３、及び前記第１の表面８１と前記第２の表面８３を接続する第２の側面８５を有し、前記第２の側面８５は、前記第２の筒壁５３における前記収容空間５５に向かう表面に当接している。
【００３６】
前記第１の表面８１は、環状に分布し、ネジ山が設けられた第２の斜面８１１、それぞれ前記第２の斜面８１１の両端に接続された外へ水平延伸する第１の荷重面８１２と通光孔５１１から離れる方向へ折り曲げ、延伸する第２の荷重面８１３、前記第１の荷重面８１２から外へ水平延伸する第３の荷重面８１４、前記第２の荷重面８１３から、通光孔５１１から離れる方向へ折り曲げ、延伸する第４の荷重面８１５、及び前記第４の荷重面８１５の他端に接続された第３の光学面８１６を有する。前記第１の荷重面８１２と前記第３の荷重面８１４は、円弧面により接続されている。
【００３７】
前記第１の荷重面８１２は、前記第１の延伸面７１２に当接し、且つ、光軸に垂直し、前記第２の荷重面８１３は、前記第２の延伸面７１３に当接し、且つ、光軸に垂直する。
【００３８】
前記第２の斜面８１１は、前記第１の荷重面８１２から物体側へ傾斜延伸し、且つ、前記第２の斜面８１１のネジ山は、前記第１の斜面７１１のネジ山に嵌合されており、これにより、前記第１の斜面７１１と前記第２の斜面８１１は、前記第１のレンズ７と前記第２のレンズ８は光軸が共通するように、ネジ山により接続されている。
【００３９】
前記第３の荷重面８１４は、前記第４の延伸面７１６と間隔を隔てて設けられている。
【００４０】
前記第２の表面８３は、順に接続された第１の接続面８３１、第２の接続面８３３及び第４の光学面８３５を有する。前記第１の接続面８３１と前記第２の接続面８３３は、円弧により接続されている。
【００４１】
前記実施例１と前記実施例２において、前記第１の斜面と前記第２の斜面は、前記光軸を中心としている。
【００４２】
本発明により提供されたレンズモジュールは、次のような有益な効果を有する。前記レンズ群は、第１のレンズと第２のレンズを有し、前記第１のレンズは、第１の斜面を有する下表面、前記下表面に対向設置された上表面、及び前記上表面と前記下表面を接続する第１の側面を有し、前記上表面は、前記第１の筒壁における前記収容空間に向かう表面に当接し、前記第１の側面は、前記第２の筒壁における前記収容空間に向かう表面に当接することにより、前記第１のレンズの光軸は、前記通光孔の軸線に重なり合わせ、前記第２のレンズは、第２の斜面を有し、前記第１の斜面と前記第２の斜面は、環状に分布し、且つ、前記第１の斜面と前記第２の斜面のそれぞれに互いに嵌合するネジ山が設けられ、前記第１の斜面と前記第２の斜面は、前記第１のレンズ及び前記第２のレンズは光軸が共通するように、ネジ山により接続され、これにより、前記レンズモジュールは高い同軸度と安定性を有すると保障することができる。
【００４３】
上述したのは、本発明の実施形態にすぎず、当業者は、本発明の創造的構想を逸脱しない前提で、改善を行うことができるが、これらは全て本発明の保護範囲に含まれる。
【図１】
2018072795.tif 000003
【図２】
2018072795.tif 000004
【図３】
2018072795.tif 000005
【図４】
2018072795.tif 000006
【図５】
2018072795.tif 000007
【図６】
2018072795.tif 000008